(57)【要約】【課題】  室内外のハンドルが独立して回動するものにおいて、経年使用後のガタつきを小さくすることができるハンドル装置を提供する。【解決手段】  外側ハンドル１の内端と内側支持筒５との嵌合を浅くして内側支持筒５の異形断面孔の室内側の端部に空間１２を形成し、一方、内側ハンドル７の内端部を室外側に延伸させて、この延伸部分１３の横断面形状を内側支持筒５の異形断面孔に内接する円形とし、他方、上記延伸部分１３を内側支持筒の異形断面孔の室内側の端部空間に回動可能に嵌合させる。【選択図】  図５
2011122344.tif 000002
【特許請求の範囲】
【請求項１】
異形断面の水平な内端部を、外側エスカチオンの底板を遊嵌して扉及びこの扉内に設けられた錠箱を貫通させ、その内端を異形断面孔を形成した内側支持筒に嵌合させると共に、内側支持筒を介して内側エスカチオンの底板に回動可能に支承させた外側ハンドルと、外側ハンドルの内端の異形断面水平部に同軸に配設された内端部を、短い支持筒を介して内側エスカチオンに回動可能に支承させた内側ハンドルとを有し、上記外側ハンドルの内端と内側支持筒との嵌合を浅くして内側支持筒の異形断面孔の室内側の端部に空間を形成し、一方、内側ハンドルの内端部を室外側に延伸させて、この延伸部分の横断面形状を内側支持筒の異形断面孔に内接する円形とし、他方、上記延伸部分を内側支持筒の異形断面孔の室内側の端部空間に回動可能に嵌合させたことを特徴とする自動施錠錠のハンドル装置。
【発明の詳細な説明】
【技術分野】
【０００１】
この発明は、自動施錠錠のハンドル装置（以下単にハンドル装置という）に係り、特に、室内外のハンドルが相互に独立している自動施錠錠のハンドル装置において、経年使用後のガタつきを小さくすることができるハンドル装置に関する。
【背景技術】
【０００２】
本出願人は、先に、下記特許文献１により、所謂自動施錠型のデッドボルトを兼ねるラッチボルトの係止装置を提案し、この係止装置は実用されている。
【０００３】
出願人は、また、下記特許文献２により、簡単な機構で確実に作動する電気錠の施解錠機構を提案した。
【先行技術文献】
【特許文献】
【０００４】
【特許文献１】特開平０９−２５６７１１号公報
【特許文献２】特許第４１０２４７２号に係る特許公報
【発明の概要】
【発明が解決しようとする課題】
【０００５】
上記所謂自動施錠錠は、扉枠に形成されたストライク孔に投入されたデッドボルトが自動的にロックされる錠前をいうが、ハンドルにより室内外側からデッドボルトを操作するタイプの錠前においては、室外側のハンドルと室内側のそれとは連結されておらず、相互に独立して回動するように構成されている。
【０００６】
それは、ハンドルの回動角度が通常９０度以下と小さいからで、例えばサムターン等１８０度程度の回動角度が取れるものは、サムターンとシリンダ錠の内筒の間にクラッチ等の遊動機構を設けることによりサムターンとシリンダ錠の内筒を一体的に連結できる。
【０００７】
例えば、従来の自動施錠型の電気錠のハンドル部の断面を示す図１において、符号１は室外側のハンドルを示し、このハンドル１の異形断面（図示の実施例では方形）の内端部は、外側エスカチオン３の底板を遊嵌して扉２及びこの扉２内に設けられた図示しない錠箱を貫通しており、その内端はカム板４（図３参照）に結合された内側支持筒５を介して内側エスカチオン６の底板に回動可能に支承されている。
【０００８】
そして、外側ハンドルの時計方向或いは反時計方向の例えば４５度の回動は、錠箱内において室外側のハンドル１と嵌合する方形孔を有する図示しない作動カムの回動に変換され、この作動カムの動きにより電気錠のデッドボルトを解錠方向、或いは施錠方向に動かす。
【０００９】
ちなみに、図３に示すカム板４は、その両端の下面が一対の平行な圧縮コイルばねの頭部に跨り、外側ハンドルの方形断面の内端部を図１及び図３に示す中立角度位置を保つように付勢するものである（特許文献２の図１参照）。
【００１０】
一方、内側ハンドル７の内端部、すなわち外側ハンドル１の異形断面水平部に対応する部分は、図１に示すように、付番しない短い支持筒を介して内側エスカチオン６に回動可能に支承されている。
【００１１】
そして、内側ハンドル７の内端に接続された異形断面段部には内側操作カム８が装着されており、内側ハンドル７を回動させるタイミングで内側操作カム８を回動させると共に、スライダ９を押し上げて、このスライダ９の動きにより電気錠のデッドボルトを解錠方向、或いは施錠方向に動かす。
【００１２】
なお、自動施錠錠のハンドルと錠箱内部の施解錠制御機構との連携は、上記したものに限らない上本発明の要旨ではないので、更に詳細な説明は省略する。
【００１３】
上記した構成の自動施錠錠のハンドル装置は、図２に示すように、内外ハンドル７、１は同軸に配設されてはいるが、その間に隙間があって機構学的には完全に分離している。
【００１４】
その上、内側ハンドル７の支持筒が短いので、支持筒内において内側ハンドルの内端部が傾き易く、例えば図４に示すように内側ハンドルを作動させながら扉の開閉動作を繰り返し行うと経年使用後には６ミリメートル程度のハンドルガタが生じ、この６ミリメートルのガタは決して小さくない。
【００１５】
そこで、この発明は、経年使用後のガタつきを小さくすることができるハンドル装置を提供することを目的としている。
【課題を解決するための手段】
【００１６】
上記の目的を達成するため、請求項１に記載の発明は、異形断面の水平な内端部を、外側エスカチオンの底板を遊嵌して扉及びこの扉内に設けられた錠箱を貫通させ、その内端を異形断面孔を形成した内側支持筒に嵌合させると共に、内側支持筒を介して内側エスカチオンの底板に回動可能に支承させた外側ハンドルと、外側ハンドルの内端の異形断面水平部に同軸に配設された内端部を、短い支持筒を介して内側エスカチオンに回動可能に支承させた内側ハンドルとを有し、上記外側ハンドルの内端と内側支持筒との嵌合を浅くして内側支持筒の異形断面孔の室内側の端部に空間を形成し、一方、内側ハンドルの内端部を室外側に延伸させて、この延伸部分の横断面形状を内側支持筒の異形断面孔に内接する円形とし、他方、上記延伸部分を内側支持筒の異形断面孔の室内側の端部空間に回動可能に嵌合させたことを特徴とする。
【発明の効果】
【００１７】
上記のように構成されたこの発明は、内側ハンドルの内端を内側支持筒の室内側の開口部に、内端部を、短い支持筒を介して内側エスカチオンに夫々回動可能に支承させるようにしたので、換言すれば内側ハンドルの水平部分を２ヶ所で支承するようにしたので、内側ハンドルの回動が安定すると共に、水平部分の振れが少なくなる。
【００１８】
したがって、経年使用後における内側ハンドルの水平部分の摩耗も格段に減少し、出願人会社比で耐久荷重試験後のハンドルのガタが約１／３に減少した。
【図面の簡単な説明】
【００１９】
【図１】従来の自動施錠錠のハンドル装置の要部断面図で、錠箱を省略して示す。
【図２】図１と同様の断面図で、ハンドルのみを取りだして示す。
【図３】カム板及びこれに結合された内側支持筒の正面図。
【図４】ハンドル装置を装着した錠箱の平面図で、内側ハンドルの耐久試験後のガタの態様を示す。
【図５】この発明の一実施例によるハンドル装置の図２と同様の一部断面図。
【発明を実施するための形態】
【００２０】
外側ハンドルの内端と内側支持筒との嵌合を浅くして内側支持筒の異形断面孔の室内側の端部に空間を形成し、一方、内側ハンドルの内端部を室外側に延伸させて、この延伸部分の横断面形状を内側支持筒の異形断面孔に内接する円形とし、他方、上記延伸部分を内側支持筒の異形断面孔の室内側の端部空間に回動可能に嵌合させ、簡単な形状変更により経年使用後のハンドルのガタつきを著しく減少させることができる。
【実施例１】
【００２１】
図５において符号１は図２におけると同様の外側ハンドルの水平部分を示し、この外側ハンドル１は内端（図５で左端）が短くなっていて、その分外側ハンドルの内端と内側支持筒との嵌合が浅くなっており、そのため内側支持筒５の異形断面孔の室内側の端部に空間１２が形成される。
【００２２】
ちなみに、外側ハンドルの水平部分１は図５における中央部と内端を除き丸く削られているが、これは丸く削られた部分が異形断面である必要が無いからであるが、このことはこの発明の必須の構成ではない。
【００２３】
一方、内側ハンドルの内端部は室外側（図５で右側）に延伸されており、この延伸部分１３は、その横断面形状が内側支持筒５の異形断面孔に内接する円形になるように成形されている。
【００２４】
そして、上記延伸部分１３は、上記内側支持筒５の空間１２を室内側（図５で左側）から挿入するようにしてこれに回動可能に嵌合している。
【００２５】
その結果、内側ハンドルの水平部分を２ヶ所で支承されることになるので、ハンドルの水平部分の振れが小さくなると共に回動が円滑になることは前記した通りである。
【００２６】
なお、図５における上記延伸部分１３の基部の形状が図１及び図２におけるそれと相違しているが、その形状の相違は本発明の必須の構成ではないので、更に詳細な説明は省略する。
【符号の説明】
【００２７】
１  外側ハンドル
２  扉
３  外側エスカチオン
４  カム板
５  内側支持筒
６  内側エスカチオン
７  内側ハンドル
８  内側操作カム
９  スライダ
１１  錠箱
１２  空間
１３  延伸部分
【図１】
2011122344.tif 000003
【図２】
2011122344.tif 000004
【図３】
2011122344.tif 000005
【図４】
2011122344.tif 000006
【図５】
2011122344.tif 000007